(57)【要約】  携帯端末（１）は、携帯端末の運動状態および姿勢を検出する運動検出部（１４）と、音声出力がされているか否かを判定し、通知条件を満たしたときに、ユーザに提供する情報を取得したことをユーザに音声で通知する音声出力制御部（１２）とを備える。通知条件は、携帯端末が動いた後に所定期間静止し、所定の姿勢を維持しており、かつ、他の音声出力がされていないことを条件として含む。
2016052172.tif 000002
【特許請求の範囲】
【請求項１】
ユーザに提供する情報を取得する情報取得部と、
携帯端末の運動状態を検出する運動検出部と、
上記携帯端末の姿勢を検出する姿勢検出部と、
上記携帯端末から音声出力がされているか否かを判定する音声出力判定部と、
通知条件を満たしたときに、上記情報を取得したことを上記ユーザに音声で通知する音声出力制御部とを備え、
上記通知条件は、上記携帯端末が空間的に動いた後に所定期間静止し、所定の姿勢を維持しており、かつ、他の音声出力がされていないことを条件として含むことを特徴とする携帯端末。
【請求項２】
上記所定の姿勢とは、上記携帯端末が備える画面が上を向いた姿勢であることを特徴とする請求項１に記載の携帯端末。
【請求項３】
ユーザに提供する情報を取得する情報取得部と、
携帯端末の運動状態を検出する運動検出部と、
上記携帯端末から音声出力がされているか否かを判定する音声出力判定部と、
通知条件を満たしたときに、上記情報を取得したことを上記ユーザに音声で通知する音声出力制御部とを備え、
上記通知条件は、上記携帯端末が所定期間自由落下し、かつ、他の音声出力がされていないことを条件として含むことを特徴とする携帯端末。
【請求項４】
上記携帯端末のロック状態を検出するロック検出部を備え、
上記通知条件は、上記携帯端末がロック状態であることを条件として含むことを特徴とする請求項１から３のいずれか一項に記載の携帯端末。
【請求項５】
上記ロック状態とは、上記携帯端末を操作するために、ロック解除操作が必要となる状態であることを特徴とする請求項４に記載の携帯端末。
【請求項６】
上記携帯端末が備える画面に近接する物体の有無を検出する近接物検出部を備え、
上記通知条件は、上記近接する物体が存在しないことを条件として含むことを特徴とする請求項１から５のいずれか一項に記載の携帯端末。
【請求項７】
上記携帯端末の位置を特定する位置特定部を備え、
上記通知条件は、上記携帯端末の位置があらかじめ設定された範囲内にあることを条件として含むことを特徴とする請求項１から６のいずれか一項に記載の携帯端末。
【請求項８】
周囲の明るさを検出する光検出部を備え、
上記通知条件は、周囲の明るさが所定の明るさ以上であることを条件として含むことを特徴とする請求項１から７のいずれか一項に記載の携帯端末。
【請求項９】
請求項１から８のいずれか一項に記載の携帯端末としてコンピュータを機能させるための制御プログラムであって、コンピュータを上記各部として機能させるための制御プログラム。
【請求項１０】
ユーザに提供する情報を取得する情報取得ステップと、
携帯端末の運動状態を検出する運動検出ステップと、
上記携帯端末の姿勢を検出する姿勢検出ステップと、
上記携帯端末から音声出力がされているか否かを判定する音声出力判定ステップと、
通知条件を満たしたときに、上記情報を取得したことを上記ユーザに音声で通知する音声出力制御ステップとを含み、
上記通知条件は、上記携帯端末が空間的に動いた後に所定期間静止し、所定の姿勢を維持しており、かつ、他の音声出力がされていないことを条件として含むことを特徴とする携帯端末の制御方法。
【請求項１１】
ユーザに提供する情報を取得する情報取得ステップと、
携帯端末の運動状態を検出する運動検出ステップと、
上記携帯端末から音声出力がされているか否かを判定する音声出力判定ステップと、
通知条件を満たしたときに、上記情報を取得したことを上記ユーザに音声で通知する音声出力制御ステップとを含み、
上記通知条件は、上記携帯端末が所定期間自由落下し、かつ、他の音声出力がされていないことを条件として含むことを特徴とする携帯端末の制御方法。
【発明の詳細な説明】
【技術分野】
【０００１】
本発明は携帯端末に関する。
【背景技術】
【０００２】
ネット技術の進展により、現在では、ユーザは莫大な量の情報を入手することが可能になっている。しかしながら、情報量が莫大であるために、その中から、ユーザが所望する情報を、ユーザが所望するタイミングでユーザに通知することは容易ではない。【０００３】
特許文献１の情報通知装置は、ユーザの位置および該位置に到着してからの経過時間と、情報を閲覧したか否かとを対応づけた閲覧履歴を蓄積する。上記情報通知装置は、閲覧履歴を参照して、ユーザが閲覧する確率が高いタイミングで情報を通知する。特許文献２〜４には、ユーザに情報を通知するタイミングに関する技術が記載されている。
【先行技術文献】
【特許文献】
【０００４】
【特許文献１】日本国公開特許公報「特開２００７−１３５１０５公報（２００７年５月３１日公開）」
【特許文献２】日本国公開特許公報「特開２００２−３４４６６３公報（２００２年１１月２９日公開）」
【特許文献３】日本国公開特許公報「特開２００６−１６３９１１公報（２００６年６月２２日公開）」
【特許文献４】日本国公開特許公報「特開２０１４−１２３８２６公報（２０１４年７月３日公開）」
【発明の概要】
【発明が解決しようとする課題】
【０００５】
しかしながら、従来の技術では、情報を通知する際に、現在ユーザが端末を使用しているか否かを考慮しない。特許文献１の情報通知装置が参照する閲覧履歴は、過去の行動に基づく統計的なデータである。それゆえ、この情報通知装置は、ユーザが端末を操作しているときに情報を通知することで、ユーザの操作を阻害してしまうことがある。【０００６】
本発明は、ユーザの操作を阻害することなく、ユーザに通知を行う携帯端末を提供することを目的とする。
【課題を解決するための手段】
【０００７】
本発明の一態様に係る携帯端末は、ユーザに提供する情報を取得する情報取得部と、携帯端末の運動状態を検出する運動検出部と、上記携帯端末の姿勢を検出する姿勢検出部と、上記携帯端末から音声出力がされているか否かを判定する音声出力判定部と、通知条件を満たしたときに、上記情報を取得したことを上記ユーザに音声で通知する音声出力制御部とを備え、上記通知条件は、上記携帯端末が空間的に動いた後に所定期間静止し、所定の姿勢を維持しており、かつ、他の音声出力がされていないことを条件として含む。【０００８】
本発明の一態様に係る携帯端末の制御方法は、ユーザに提供する情報を取得する情報取得ステップと、携帯端末の運動状態を検出する運動検出ステップと、上記携帯端末の姿勢を検出する姿勢検出ステップと、上記携帯端末から音声出力がされているか否かを判定する音声出力判定ステップと、通知条件を満たしたときに、上記情報を取得したことを上記ユーザに音声で通知する音声出力制御ステップとを含み、上記通知条件は、上記携帯端末が空間的に動いた後に所定期間静止し、所定の姿勢を維持しており、かつ、他の音声出力がされていないことを条件として含む。【０００９】
本発明の一態様に係る携帯端末は、ユーザに提供する情報を取得する情報取得部と、携帯端末の運動状態を検出する運動検出部と、上記携帯端末から音声出力がされているか否かを判定する音声出力判定部と、通知条件を満たしたときに、上記情報を取得したことを上記ユーザに音声で通知する音声出力制御部とを備え、上記通知条件は、上記携帯端末が所定期間自由落下し、かつ、他の音声出力がされていないことを条件として含む。【００１０】
本発明の一態様に係る携帯端末の制御方法は、ユーザに提供する情報を取得する情報取得ステップと、携帯端末の運動状態を検出する運動検出ステップと、上記携帯端末から音声出力がされているか否かを判定する音声出力判定ステップと、通知条件を満たしたときに、上記情報を取得したことを上記ユーザに音声で通知する音声出力制御ステップとを含み、上記通知条件は、上記携帯端末が所定期間自由落下し、かつ、他の音声出力がされていないことを条件として含む。
【発明の効果】
【００１１】
本発明の一態様によれば、ユーザによる携帯端末の操作および利用を阻害することなくユーザに通知を行うことができる。よって、ユーザは携帯端末を快適に利用することができる。
【図面の簡単な説明】
【００１２】
【図１】本発明の一実施形態に係る携帯端末の概略構成を示すブロック図である。
【図２】上記携帯端末が机の平面上に置かれた様子を示す斜視図である。
【図３】ある姿勢の上記携帯端末の様子を示す図である。
【図４】上記携帯端末による音声通知の処理フローを示す図である。
【図５】本発明の他の実施形態に係る携帯端末による音声通知の処理フローを示す図である。
【発明を実施するための形態】
【００１３】
〔実施形態１〕
（携帯端末の構成）
図１は、本実施形態に係る携帯端末１の概略構成を示すブロック図である。携帯端末１は、制御部２、音声出力部３、加速度センサ４（運動検出部、姿勢検出部）、近接センサ５（近接物検出部）、ＧＰＳセンサ６（位置特定部）、および照度センサ７（光検出部）を備える。ここでは、携帯端末１は、タッチパネル（画面）を備えるスマートフォンであるとして説明を行う。
【００１４】
制御部２は、情報取得部１０、発話内容決定部１１、音声出力制御部１２（音声出力制御部、音声出力判定部）、ロック検出部１３、運動検出部１４（運動検出部、姿勢検出部）、近接物検出部１５、位置特定部１６、および光検出部１７を備える。
【００１５】
情報取得部１０は、携帯端末１の外部のサーバから所定のタイミングで（例えば定期的に）ニュース等のユーザに提供する情報を取得する。サーバとの通信は、無線アクセスポイントまたは基地局等を介して行われる。ユーザに提供する情報は、ニュースの他に、例えば、地域のイベント情報、映画情報、または記念日に関する情報であってもよい。これらの情報は、例えば、緊急を要する情報でも、ユーザが能動的に探している情報でもなく、ユーザに知識または気づきを与えてくれる情報である。以下、ユーザに提供するための取得された情報をユーザ提供情報と呼ぶ。情報取得部１０は、ユーザ提供情報を発話内容決定部１１に出力する。
【００１６】
発話内容決定部１１は、ユーザ提供情報を取得したことをユーザに通知するための音声の内容を生成する。音声の内容は、ユーザ提供情報の内容（「映画情報」、または「イベント情報」等）を含んでもよいし、ユーザ提供情報の詳細を含んでもよいし、単にユーザ提供情報を取得したことを示すものでもよい。発話内容決定部１１は、音声の内容を、音声データとして音声出力制御部１２に出力する。なお、発話内容決定部１１は、音声の内容を、テキストデータとして音声出力制御部１２に出力し、音声出力制御部１２で、テキストデータを音声データに変換してもよい。
【００１７】
音声出力制御部１２は、音声出力部３を制御して、音声データを音声出力部３から音声出力させる。音声出力制御部１２は、ユーザ提供情報が取得されてから、特定の通知条件が満たされたときに、ユーザ提供情報を取得したことを音声によってユーザに通知する。通知条件の詳細については後述する。また、音声出力制御部１２は、音声出力部３から他の音声出力がされているか否かを判定する。音声出力部３は、スピーカ等の音声を出力する装置である。
【００１８】
ロック検出部１３は、携帯端末１がロック状態であることを検出する。ロック検出部１３は、検出結果を音声出力制御部１２に出力する。ロック状態とは、携帯端末１をユーザが操作するために、特定のロック解除操作が必要となる状態である。ロック状態では、携帯端末１は、ロック解除操作を除く一部の操作（メニュー選択操作、アプリ起動操作等）を受け付けない。ロック解除操作としては、例えば、特定の文字列を入力する、タッチパネルで特定のタッチ入力をする、または特定の順序で画面の各部をタッチする等の操作が挙げられる。例えば、ロック状態とは、ロック画面が表示されている、またはフォアグランドにロック画面が存在する状態である。フォアグランドとは、画面が消灯している場合に、タッチ入力等を行って画面を点灯させると表示される画面である。ロック画面とは、ロック解除操作を受け付ける画面である。ロック状態が解除されると、利用可能な複数のメニューが表示されるホーム画面が表示される。
【００１９】
運動検出部１４は、携帯端末１が備える加速度センサ４から信号を受け取り、該信号に基づいて携帯端末１の運動状態を検出する。運動検出部１４は、携帯端末１が備えるジャイロセンサ（図示せず）からの信号に基づいて携帯端末１の回転運動を検出してもよい。また、運動検出部１４は、加速度センサ４からの信号に基づいて重力方向を検出することにより、携帯端末１の姿勢（傾き）をも検出する。運動検出部１４は、検出結果（運動状態および姿勢）を音声出力制御部１２に出力する。
【００２０】
近接物検出部１５は、携帯端末１が備える近接センサ５からの信号を受け取り、該信号に基づいて携帯端末１の画面に近接する（または接触する）物体の有無を検出する。近接物検出部１５は、例えば、画面から所定の範囲内に物体が存在するか否かを検出する。近接物検出部１５は、検出結果を音声出力制御部１２に出力する。近接センサ５は、例えば携帯端末１の画面の周辺、または画面の中に設けられる。接触またはホバータッチを検出するタッチパネルを、近接センサ５の代替とすることもできる。
【００２１】
位置特定部１６は、携帯端末１が備えるＧＰＳセンサ６からの信号を受け取り、該信号に基づいて携帯端末１の位置を特定する。位置特定部１６は、例えば、基地局からの信号に基づいて、携帯端末１の位置（存在する範囲）を特定してもよい。位置特定部１６は、携帯端末１の位置を示す情報を、音声出力制御部１２に出力する。ＧＰＳセンサ６は、ＧＰＳ（global positioning system）衛星からの信号を受信し、地球上における位置を特定する。
【００２２】
光検出部１７は、携帯端末１が備える照度センサ７からの信号を受け取り、該信号に基づいて周囲環境の明るさを検出する。光検出部１７は、検出結果を音声出力制御部１２に出力する。照度センサ７は、例えば携帯端末１の画面の周辺または画面の中に設けられ、外光の強度を検出する。照度センサ７は、照度（または外光の強度）を示す信号を生成する。
【００２３】
（音声通知のタイミング）
本実施形態では、ユーザによる携帯端末１の操作を阻害しないように、ユーザ提供情報を取得したことの通知は、音声によって行われる。また、携帯端末１の操作および利用を阻害しないように、この音声通知は、ユーザが携帯端末１を操作および利用をしていないときに行われる。ただし、ユーザが携帯端末１の近くにいないと音声通知が届かない可能性がある。そのため、ユーザが携帯端末１を使い終わった直後に音声通知を行うことが好ましい。
【００２４】
図２は、携帯端末１が机の平面上に置かれた様子を示す斜視図である。ユーザは、携帯端末１を使い終わると、図２のように例えば机、テーブルまたは棚等の平面上に携帯端末１を置くことがよくある。またこのとき、大抵の場合、携帯端末１の画面２０（タッチパネル）は上に向けて置かれる。本実施形態では、使い終わった後のこのような状態を検出し、ユーザ提供情報を取得したことの音声通知を行う。以下に具体的な処理フローについて説明する。
【００２５】
（音声通知の処理フロー）
図４は、携帯端末１による音声通知の処理フローを示す図である。携帯端末１がユーザ提供情報を取得すると、以下の処理フローが開始される。音声出力制御部１２は、各部からの検出結果に基づいて、以下のフローの各判定を行う。まず、音声出力制御部１２は、携帯端末１が空間的に動いたことを検出する（Ｓ１）。携帯端末１が動かされるまで、次のフローには進まない。
【００２６】
その後、音声出力制御部１２は、携帯端末１が所定期間静止していることを検出すると（Ｓ２）、携帯端末１が所定期間所定の姿勢に維持されているか否かを判定する（Ｓ３）。所定の姿勢は、例えば、水平な姿勢である。水平な姿勢とは、携帯端末１の画面２０が上向き（重力方向と逆向き）であってもよいし、下向きであってもよい。
【００２７】
なお、静止を判定するための所定期間と姿勢を判定するための所定期間とは、異なる期間であってもよいし、同じ期間であってもよい。例えば、音声出力制御部１２は、携帯端末１が所定期間（例えば２秒）静止していることを検出した後、それに続く所定期間（例えば１秒）携帯端末１が所定の姿勢に維持されているかを判定してもよい。各所定期間は、１秒以上（例えば５秒）でもよいし、１秒以下（例えば０．２秒）でもよい。または、音声出力制御部１２は、携帯端末１が、所定期間（例えば１秒）、静止しかつ所定の姿勢に維持されているかを判定してもよい。
【００２８】
図３は、ある姿勢の携帯端末１の様子を示す図である。ここで、画面２０の平面における２つの軸をｘ軸、ｙ軸と定義し、画面２０に垂直かつ背面方向への軸をｚ軸と定義する。携帯端末１の姿勢（傾き）は、重力方向Ｇと、ｘ、ｙ、ｚ軸のそれぞれとの間の角度θｘ、θｙ、θｚで表すことができる。例えば、携帯端末１が完全に水平であるとき、θｚ＝０°である（すなわち、ｚ軸と重力方向Ｇとが一致する）。このとき、θｘ＝９０°、θｙ＝９０°である。ただし、音声出力制御部１２は、携帯端末１の姿勢がある程度の範囲であれば、所定の姿勢であると判定してもよい。例えば、θｚ≦１５°、好ましくはθｚ≦５°のとき、音声出力制御部１２は、携帯端末１の姿勢が実質的に水平である（または画面が上を向いている）と判定してもよい。また、音声出力制御部１２は、θｘ、θｙのそれぞれに対して、姿勢を判定するための個別の閾値を設定してもよい。なお、音声出力制御部１２は、画面２０が下向きである姿勢（例えば１６５°≦θｚ≦１８０°）をも水平な姿勢と判定してもよい。また、θｘ、θｙ、θｚが、携帯端末１に対応したクレードルに携帯端末１が置かれたときの範囲内であれば、音声出力制御部１２は、携帯端末１が所定の姿勢（クレードルに置かれた姿勢）であると判定してもよい。所定の姿勢は、ユーザが携帯端末１を使い終わった後に携帯端末１が置かれる姿勢である。
【００２９】
携帯端末１が所定期間所定の姿勢に維持されていない場合（Ｓ３でＮｏ）、処理はＳ１に戻り、携帯端末１は再び動かされるまで待つ。例えば、携帯端末１が動かされている間、または、携帯端末１が斜めの姿勢になっている間は、ユーザが携帯端末１を使用している、または持ち運んでいる最中であると推測できる。また、ユーザが使用し終わった携帯端末１をテーブル等に置くとき、通常は、画面が上を向くように携帯端末１が置かれる。
【００３０】
携帯端末１が所定期間所定の姿勢に維持されている場合（Ｓ３でＹｅｓ）、音声出力制御部１２は、携帯端末１がロック状態であるか否かを判定する（Ｓ４）。
【００３１】
携帯端末１がロック状態ではない場合（Ｓ４でＮｏ）、処理はＳ１に戻り、携帯端末１は再び動かされるまで待つ。携帯端末１がロック状態ではない場合、ユーザは携帯端末１の使用を継続していると考えられる。
【００３２】
携帯端末１がロック状態である場合（Ｓ４でＹｅｓ）、音声出力制御部１２は、音声出力部３から他の音声出力がされているか否かを判定する（Ｓ５）。他の音声出力とは、ユーザ提供情報を取得したことの音声通知以外の、例えば音楽再生または通話等の音声出力である。
【００３３】
他の音声出力がされている場合（Ｓ５でＹｅｓ）、処理はＳ１に戻り、携帯端末１は再び動かされるまで待つ。他の音声出力がされている場合、ユーザは携帯端末１を使用中（利用中）であると考えられる。
【００３４】
他の音声出力がされていない場合（Ｓ５でＮｏ）、音声出力制御部１２は、画面２０に近接する（または接触する）物体が存在するか否かを判定する（Ｓ６）。
【００３５】
画面２０に近接する（または接触する）物体が存在する場合（Ｓ６でＹｅｓ）、処理はＳ１に戻り、携帯端末１は再び動かされるまで待つ。画面２０に近接する物体が存在する場合、携帯端末１は、衣服のポケットの中にある、または、鞄の中にあると推測することができる。このようなときに音声通知を行っても、ユーザに気づかれない可能性がある。
【００３６】
画面２０に近接する（または接触する）物体が存在しない場合（Ｓ６でＮｏ）、音声出力制御部１２は、携帯端末１の位置が所定の範囲内であるか否かを判定する（Ｓ７）。所定の範囲とは、例えば、自宅を含む範囲である。ユーザは所定の範囲をあらかじめ任意に設定することができる。
【００３７】
携帯端末１の位置が所定の範囲内ではない場合（Ｓ７でＮｏ）、処理はＳ１に戻り、携帯端末１は再び動かされるまで待つ。例えば、携帯端末１の位置が自宅を含む範囲内ではない場合、ユーザおよび携帯端末１は、自宅の外にいることになる。周囲に多数の人がいるかもしれないので、このようなときには音声通知を行わないことが好ましい。
【００３８】
携帯端末１の位置が所定の範囲内である場合（Ｓ７でＹｅｓ）、音声出力制御部１２は、携帯端末１の周囲の明るさが所定の明るさ以上であるか否かを判定する（Ｓ８）。
【００３９】
携帯端末１の周囲の明るさが所定の明るさ未満である場合（Ｓ８でＮｏ）、処理はＳ１に戻り、携帯端末１は再び動かされるまで待つ。例えば、周囲が暗いときは、ユーザが就寝するタイミングであるかもしれない。ユーザの就寝を阻害しないよう、携帯端末１は、このような場合には音声通知を控える。
【００４０】
携帯端末１の周囲の明るさが所定の明るさ以上である場合（Ｓ８でＹｅｓ）、音声出力制御部１２は、ユーザ提供情報を取得したことの音声通知を音声出力部３から出力させる（Ｓ９）。以上で、音声通知の処理フローは終了する。この場合、通知条件は、携帯端末１が動くこと、その後携帯端末１が所定期間静止すること、携帯端末１が所定の姿勢を維持すること、携帯端末１がロック状態であること、携帯端末１から他の音声が出力されていないこと、画面に対して近接物が存在しないこと、携帯端末１の位置が所定の範囲内であること、および、周囲の明るさが所定の明るさ以上であること、を条件として含む。
【００４１】
ここで説明した各判定処理の順序は入れ替わっていてもよい。また、いくつかの判定処理（条件）を省略することもできる。例えば、Ｓ１からＳ３の判定処理によって、ユーザが携帯端末１を使い終わったことを判定し、Ｓ４からＳ８を省略してもよい。また、例えば、Ｓ７、Ｓ８だけを省略してもよい。また例えば、Ｓ１からＳ３およびＳ５によって、ユーザが携帯端末１を使い終わったことを判定してもよい。
【００４２】
ところで、携帯端末が長期間テーブルの上に置かれている間にユーザ提供情報を受け取ったとする。携帯端末がこのユーザ提供情報をすぐに音声通知しても、ユーザがその場におらず、音声通知に気づかない可能性がある。
【００４３】
本実施形態では、携帯端末１は、携帯端末１が動いた後（ユーザが携帯端末１を操作した後）に、ユーザが携帯端末１を使い終わった事を判定する。そのため、ユーザが携帯端末１を使い終わった直後に、まだユーザが携帯端末１の近くにいる間に、携帯端末１は音声通知を行うことができる。また、任意の平面上に携帯端末１を置いたときに音声通知を行うことができるため、ユーザ提供情報を受け取ったことをユーザに通知する機会を多くすることができる。
【００４４】
また、本実施形態では、携帯端末１の状態に関する複数の判定を行うことで、ユーザが携帯端末１を使い終わったか否かを判定する。そのため、ユーザが携帯端末１を使い終わったことを正確に判定することができる。それゆえ、ユーザによる携帯端末１の操作および使用を阻害することを防ぎ、適切なタイミングで情報をユーザに通知することができる。なお、通知を受けたユーザは、携帯端末１を操作し、ユーザ提供情報を画面２０に表示させたり、音声読み上げで発話させたりすることができる。携帯端末１は、音声によってユーザ提供情報を受け取ったことを通知するので、閲覧可能なユーザ提供情報があるか否かをユーザが能動的に、例えば画面を見るなどして確かめる必要がない。
【００４５】
〔実施形態２〕
以下、本発明の他の実施形態について説明する。なお、以下の説明では便宜上、上述の実施形態にて説明した部材と同じ機能を有する部材については、同じ符号を付記し、その説明を省略する。携帯端末の機能ブロックは、図１に示すものと同じである。本実施形態では、自由落下を検出して、ユーザへの音声通知を行う。
【００４６】
図５は、本実施形態に係る携帯端末１による音声通知の処理フローを示す図である。携帯端末１がユーザ提供情報を取得すると、以下の処理フローが開始される。音声出力制御部１２は、各部からの検出結果に基づいて、以下のフローの各判定を行う。まず、音声出力制御部１２は、携帯端末１が所定期間自由落下していることを検出する（Ｓ１１）。自由落下している最中は、加速度センサ４は、重力加速度を感じない。上記所定期間は、例えば０．５秒でもよく、それ以下でもそれ以上でもよい。例えば、静止状態から手を離した場合、携帯端末１は、０．３秒で約５０ｃｍ落下する。なお、携帯端末１が上に放り上げられた場合も、その瞬間から自由落下（放物運動）は始まる。この場合、同じ０．３秒でも、最初は上昇しているので落下する距離は短くなる。例えば、ユーザが携帯端末１をベッドまたはソファ上に放り投げたとき、携帯端末１は所定期間自由落下する。音声出力制御部１２は、これを検出する。
【００４７】
所定期間自由落下したことを検出すると、音声出力制御部１２は、携帯端末１がロック状態であるか否かを判定する（Ｓ４）。また、実施形態１と同様に、音声出力部３から他の音声出力がされているか否か（Ｓ５）、および、画面２０に近接する物体が存在するか否か（Ｓ６）の判定を行う。
【００４８】
他の音声出力がされている場合、ユーザは携帯端末１の使用を継続していると判断することができる。また、画面２０に近接する物体が存在する場合、携帯端末１は、衣服のポケットの中にある、または、鞄の中にある状態で落下したと推測できる。このようなときに音声通知を行っても、ユーザに気づかれない可能性がある。
【００４９】
携帯端末１が所定期間自由落下をし、ロック状態であり、他の音声出力がされておらず、かつ、近接物が存在しない場合、音声出力制御部１２は、ユーザ提供情報を取得したことの音声通知を音声出力部３から出力させる（Ｓ９）。以上で、音声通知の処理フローは終了する。
【００５０】
本実施形態においても、Ｓ４、Ｓ５、および／またはＳ６の処理を省略してもよい。また、図４に示すＳ７、および／またはＳ８の処理を追加してもよい。本実施形態においては、携帯端末１が所定期間静止かつ、所定の姿勢に維持されていなくても、自由落下が一定期間続いたことをもって、音声出力制御部１２は、ユーザが携帯端末１を使い終わったと判断する。もちろん、自由落下を検出した後に、携帯端末１が静止していること（Ｓ２）、および／または所定の姿勢に維持されていること（Ｓ３）を判定してもよい。本実施形態によれば、ユーザが携帯端末１を使い終わった直後に、まだユーザが携帯端末１の近くにいる間に、携帯端末１は音声通知を行うことができる。なお、本実施形態によれば、ユーザが意図せず携帯端末１を落としてしまった場合にも音声通知がなされるため、携帯端末１の紛失を防止する効果も期待できる。
【００５１】
〔変形例〕
以上では、携帯端末がスマートフォンである場合について説明したが、これに限らず、本発明は、携帯電話機、タブレット端末、電子書籍リーダー、またはＰＤＡ（Personal Digital Assistant）等の携帯端末にも適用することができる。
【００５２】
また、実施形態１、２の両方の処理を行う携帯端末も実現可能である。そのような携帯端末は、ユーザが携帯端末１をテーブルに置いた場合でも、ユーザが携帯端末１をベッドに放り投げた場合でも、音声通知を行う。
【００５３】
〔ソフトウェアによる実現例〕
制御部２の制御ブロック（特に情報取得部１０、発話内容決定部１１、音声出力制御部１２、ロック検出部１３、運動検出部１４、近接物検出部１５、位置特定部１６、および光検出部１７）は、集積回路（ＩＣチップ）等に形成された論理回路（ハードウェア）によって実現してもよいし、ＣＰＵ（Central Processing Unit）を用いてソフトウェアによって実現してもよい。
【００５４】
後者の場合、制御部２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５５】
〔まとめ〕
本発明の態様１に係る携帯端末は、ユーザに提供する情報を取得する情報取得部（情報取得部１０）と、携帯端末の運動状態を検出する運動検出部（運動検出部１４）と、上記携帯端末の姿勢を検出する姿勢検出部（運動検出部１４）と、上記携帯端末から音声出力がされているか否かを判定する音声出力判定部（音声出力制御部１２）と、通知条件を満たしたときに、上記情報を取得したことを上記ユーザに音声で通知する音声出力制御部（音声出力制御部１２）とを備え、上記通知条件は、上記携帯端末が空間的に動いた後に所定期間静止し、所定の姿勢を維持しており、かつ、他の音声出力がされていないことを条件として含む。
【００５６】
上記の構成によれば、ユーザが携帯端末を置いたとき、かつ、音楽再生等の他の音声出力がされていないときに、ユーザに提供する情報を取得したことをユーザに音声で通知することができる。それゆえ、ユーザが携帯端末を使い終わったタイミングで音声通知を行うことができる。そのため、ユーザによる携帯端末の操作および利用を通知によって阻害することを防止することができる。よって、ユーザは携帯端末を快適に利用することができる。
【００５７】
本発明の態様２に係る携帯端末では、上記態様１において、上記所定の姿勢とは、上記携帯端末が備える画面が上を向いた姿勢であってもよい。
【００５８】
上記の構成によれば、携帯端末がポケットまたは鞄の中等に入れられた状態で静止したときに音声通知を行うことを防止することができる。
【００５９】
本発明の態様３に係る携帯端末は、ユーザに提供する情報を取得する情報取得部と、携帯端末の運動状態を検出する運動検出部と、上記携帯端末から音声出力がされているか否かを判定する音声出力判定部と、通知条件を満たしたときに、上記情報を取得したことを上記ユーザに音声で通知する音声出力制御部とを備え、上記通知条件は、上記携帯端末が所定期間自由落下し、かつ、他の音声出力がされていないことを条件として含む。
【００６０】
上記の構成によれば、ユーザが携帯端末を放り投げたまたは落としたとき、かつ、音楽再生等の他の音声出力がされていないときに、ユーザに提供する情報を取得したことをユーザに音声で通知することができる。
【００６１】
本発明の態様４に係る携帯端末では、上記態様１から３において、上記携帯端末のロック状態を検出するロック検出部（ロック検出部１３）を備え、上記通知条件は、上記携帯端末がロック状態であることを条件として含む構成であってもよい。
【００６２】
携帯端末がロック状態である場合、ユーザが他のアプリケーションを利用していないと考えられる。
【００６３】
本発明の態様５に係る携帯端末では、上記態様４において、上記ロック状態とは、上記携帯端末を操作するために、ロック解除操作が必要となる状態であってもよい。
【００６４】
本発明の態様６に係る携帯端末では、上記態様１から５において、上記携帯端末が備える画面に近接する物体の有無を検出する近接物検出部を備え、上記通知条件は、上記近接する物体が存在しないことを条件として含む構成であってもよい。
【００６５】
上記の構成によれば、携帯端末がポケットまたは鞄の中等に入れられた状態で静止したときに音声通知を行うことを防止することができる。
【００６６】
本発明の態様７に係る携帯端末では、上記態様１から６において、上記携帯端末の位置を特定する位置特定部を備え、上記通知条件は、上記携帯端末の位置があらかじめ設定された範囲内にあることを条件として含む構成であってもよい。
【００６７】
上記の構成によれば、例えば自宅等の所定の位置に携帯端末があるときのみに音声通知を行い、公共の場で音声通知がされることを防止することができる。
【００６８】
本発明の態様８に係る携帯端末では、上記態様１から７において、周囲の明るさを検出する光検出部を備え、上記通知条件は、周囲の明るさが所定の明るさ以上であることを条件として含む構成であってもよい。
【００６９】
上記の構成によれば、例えば就寝時に音声通知がされることを防止することができる。
【００７０】
本発明の態様９に係る携帯端末の制御方法では、ユーザに提供する情報を取得する情報取得ステップと、携帯端末の運動状態を検出する運動検出ステップと、上記携帯端末の姿勢を検出する姿勢検出ステップと、上記携帯端末から音声出力がされているか否かを判定する音声出力判定ステップと、通知条件を満たしたときに、上記情報を取得したことを上記ユーザに音声で通知する音声出力制御ステップとを含み、上記通知条件は、上記携帯端末が空間的に動いた後に所定期間静止し、所定の姿勢を維持しており、かつ、他の音声出力がされていないことを条件として含む。
【００７１】
本発明の態様１０に係る携帯端末の制御方法では、ユーザに提供する情報を取得する情報取得ステップと、携帯端末の運動状態を検出する運動検出ステップと、上記携帯端末から音声出力がされているか否かを判定する音声出力判定ステップと、通知条件を満たしたときに、上記情報を取得したことを上記ユーザに音声で通知する音声出力制御ステップとを含み、上記通知条件は、上記携帯端末が所定期間自由落下し、かつ、他の音声出力がされていないことを条件として含む。
【００７２】
本発明の各態様に係る携帯端末は、コンピュータによって実現してもよく、この場合には、コンピュータを上記携帯端末が備える各部として動作させることにより上記携帯端末をコンピュータにて実現させる携帯端末の制御プログラム、およびそれを記録したコンピュータ読み取り可能な記録媒体も、本発明の範疇に入る。
【００７３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７４】
本発明は、ユーザに情報を提供する携帯端末に利用することができる。
【符号の説明】
【００７５】
１  携帯端末
２  制御部
３  音声出力部
４  加速度センサ（運動検出部、姿勢検出部）
５  近接センサ（近接物検出部）
６  ＧＰＳセンサ（位置特定部）
７  照度センサ（光検出部）
１０  情報取得部
１１  発話内容決定部
１２  音声出力制御部（音声出力制御部、音声出力判定部）
１３  ロック検出部
１４  運動検出部（運動検出部、姿勢検出部）
１５  近接物検出部
１６  位置特定部
１７  光検出部
２０  画面
【図１】
2016052172.tif 000003
【図２】
2016052172.tif 000004
【図３】
2016052172.tif 000005
【図４】
2016052172.tif 000006
【図５】
2016052172.tif 000007
【国際調査報告】
2016052172.tif 000008
2016052172.tif 000009
2016052172.tif 000010
2016052172.tif 000011